(57)【要約】【課題】無線による接続不良によって音声が途絶え、その後再び接続されとき、音量が絞られた状態から徐々にもとの音量に戻すようにしたヘッドホンを得る。【解決手段】再生装置１０から送信される音声信号を受信するデジタル無線受信部２１、受信される音声信号を蓄えるバッファメモリ２２、バッファメモリ２２から読み出される音声信号をアナログ信号に変換するＤ／Ａ変換部２３、アナログ信号を音声に変換する電気音響変換器２４を備える。デジタル無線送受信部の接続正常または不良を検出する接続検出部２５、電気音響変換器２４から出力される音声の音量を調節する音量調節部２７、接続検出部２５が接続不良を検出したとき音量を低下させるように音量調節部２７を制御し、その後接続検出部２５が接続正常を検出したとき、接続不良を検出したときの音量まで順次戻すように音量調節部２７を制御する制御部２６を備えている。【選択図】図１
2008067258.tif 000002
【特許請求の範囲】
【請求項１】
再生装置側からデジタル無線信号で送信される音声信号を受信するデジタル無線受信部と、
デジタル無線受信部で受信される音声信号を一時的に蓄えるバッファメモリと、
バッファメモリから読み出される音声信号をアナログ信号に変換するＤ／Ａ変換部と、
Ｄ／Ａ変換部で変換されるアナログ信号を音声に変換する電気音響変換器と、を備えるワイヤレスヘッドホンであって、
デジタル無線受信部と再生装置側のデジタル無線送信部との接続が正常かまたは接続不良かを検出する接続検出部と、
電気音響変換器から出力される音声の音量を調節する音量調節部と、
接続検出部が接続不良を検出したとき音量を低下させるように音量調節部を制御し、その後接続検出部が接続正常を検出したとき、接続不良を検出したときの音量まで順次戻すように音量調節部を制御する制御部を備えていることを特徴とするワイヤレスヘッドホン。
【請求項２】
接続検出部が接続不良を検出したとき、制御部の制御によって接続不良を認識させるための認識音を電気音響変換器から出力させる認識音発生部をさらに備えている請求項１記載のワイヤレスヘッドホン。
【請求項３】
再生装置側からデジタル無線信号で送信される音声信号を受信するデジタル無線送受信部と、
ワイヤレスヘッドホン側のデジタル無線送受信部で受信される音声信号を一時的に蓄えるバッファメモリと、
バッファメモリから読み出される音声信号をアナログ信号に変換するＤ／Ａ変換部と、
Ｄ／Ａ変換部で変換されるアナログ信号を音声に変換する電気音響変換器と、を備えるワイヤレスヘッドホンであって、
再生装置側のデジタル無線送信部と上記デジタル無線受信部との接続が正常かまたは接続不良かを検出する接続検出部と、
接続検出部が接続不良を検出したときバッファメモリによる音声信号の読み出しを停止させて再生を一時停止させ、その後接続検出部が接続正常を検出したとき、バッファメモリによる音声信号の読み出しを、接続不良検出時の音声信号に続けて再開させる制御部を備えていることを特徴とするワイヤレスヘッドホン。
【請求項４】
接続検出部が接続不良を検出したとき、制御部の制御によって接続不良を認識させるための認識音を電気音響変換器から出力させる認識音発生部をさらに備えている請求項３記載のワイヤレスヘッドホン。
【請求項５】
電気音響変換器から出力される音声の音量を調節する音量調節部をさらに有し、制御部は、接続検出部が接続不良を検出したとき音量を低下させるように音量調節部を制御し、その後接続検出部が接続正常を検出したとき、接続不良を検出したときの音量まで順次戻すように音量調節部を制御する請求項３記載のワイヤレスヘッドホン。
【請求項６】
携帯電話に内蔵されていて予め記録されている音声信号を再生する再生装置と、
携帯電話からデジタル無線信号で送信される音声信号を受信するデジタル無線受信部と、
デジタル無線受信部で受信される音声信号を一時的に蓄えるバッファメモリと、
バッファメモリから読み出される音声信号をアナログ信号に変換するＤ／Ａ変換部と、
Ｄ／Ａ変換部で変換されるアナログ信号を音声に変換する電気音響変換器と、を備えるワイヤレスヘッドホンであって、
携帯電話が通話中であるか非通話かを検出する通話検出部と、
通話検出部が通話を検出したときバッファメモリによる音声信号の読み出しを停止させて再生を一時停止させ、その後通話検出部が非通話を検出したとき、バッファメモリによる音声信号の読み出しを、一時停止時の音声信号に続けて再開させる制御部を備えていることを特徴とするワイヤレスヘッドホン。
【請求項７】
携帯電話側のデジタル無線送信部と上記デジタル無線受信部相互の接続が正常かまたは接続不良かを検出する接続検出部をさらに備え、
制御部は、接続検出部が接続不良を検出したときバッファメモリによる音声信号の読み出しを停止させて再生を一時停止させ、その後接続検出部が接続正常を検出したとき、バッファメモリによる音声信号の読み出しを、一時停止時の音声信号に続けて再開させる請求項６記載のワイヤレスヘッドホン。
【請求項８】
音声信号の再生装置と、再生装置側からデジタル無線信号で送信される音声信号を受信して音声に変換するヘッドホンからなるワイヤレスヘッドホンシステムであって、
ヘッドホンは、再生装置側からデジタル無線信号で送信される音声信号を受信するデジタル無線送受信部と、ワイヤレスヘッドホン側のデジタル無線送受信部で受信される音声信号を一時的に蓄えるバッファメモリと、バッファメモリから読み出される音声信号をアナログ信号に変換するＤ／Ａ変換部と、Ｄ／Ａ変換部で変換されるアナログ信号を音声に変換する電気音響変換器を備え、
再生装置は、再生装置側のデジタル無線送信部と上記デジタル無線受信部との接続が正常かまたは接続不良かを検出する接続検出部と、接続検出部が接続不良を検出したとき再生を一時停止させ、その後上記接続検出部が接続正常を検出したとき、接続不良検出時の音声信号に続けて音声信号の読み出しを再開させる制御部を備えていることを特徴とするワイヤレスヘッドホンシステム。
【発明の詳細な説明】
【技術分野】
【０００１】
本発明は、音声信号の再生装置から無線で送信されるデジタル音声信号を受信し、音声に変換するワイヤレスヘッドホンおよびワイヤレスヘッドホンシステムに関するもので、特に、無線による通信に不具合がある場合に、ユーザーに不愉快な思いをさせないように工夫を施したものである。
【背景技術】
【０００２】
ヘッドホンは、テープレコーダ、ＣＤプレーヤ、ＭＤプレーヤ、ＭＰＥＧ方式プレーヤなどの音声再生器などの音源装置に接続して個人的に音声を聞くものである。しかし、音源装置とヘッドホンとの間をコードあるいはワイヤ（以下「ワイヤ」という）で接続すると、ワイヤがわずらわしく、取り扱いが面倒であることから、ワイヤをなくして音源装置からヘッドホンに無線によって音声信号を送信するワイヤレスヘッドホンが市販されている。また、近年では、デジタル無線通信規格であるＢｌｕｅｔｏｏｔｈに基づいて音声信号を送受信するものが普及しつつある。
【０００３】
図７は、一般的なワイヤレスヘッドホンおよび音源装置のイメージを示す。図７において、コンピュータ５５はデジタル化された音声データファイルを保存していて、音声データファイルを読み出すことによって音源装置として機能する。読み出された音声データは送信機５６から無線によって送信される。また、携帯電話５７も同様に音声データファイルを保存することができるようになっていて、音声データファイルを読み出すことによって音源装置として機能し、読み出された音声データは送信部５８から無線によって送信される。送信機５６または送信部５８から送信される電波はワイヤレスヘッドホン５２が内蔵している受信機５３で受信され、音声信号に復調されてワイヤレスヘッドホン５２が備えているスピーカを音声信号で駆動し、スピーカから音声が出力されるように構成されている。
【０００４】
ワイヤレスヘッドホンの通信可能な距離には限度がある。図６は通信可能な距離のイメージを示すもので、例えば、Ｂｌｕｅｔｏｏｔｈ規格に基づく無線通信手段の接続可能な範囲は送信機５１から１０ｍ程度の範囲で、それ以上離れると接続不良になる。図６において、符号６０は通信可能な範囲を示している。ＡＶ機器５０は、オーディオ・ビデオ信号をデジタル信号の形態で記録し再生することができる音源装置である。この音源装置で再生された音声信号は、送信機５１からＢｌｕｅｔｏｏｔｈなどの所定の通信規格に基づいて電波に乗せられて送信される。ヘッドホン５２は上記電波を受信することができる受信機を備えていて、前述のとおり受信した電波から音声信号に復調し、内蔵のスピーカを音声信号によって駆動する。ヘッドホン５２が無線通信手段の接続可能範囲６０内にあれば音声信号に従った音声をスピーカから出力することができるが、接続可能範囲６０から外れると音声信号が途絶えてスピーカから音声を出力することができない。再びヘッドホン５２が接続可能範囲６０内に入ると、再びヘッドホン５２のスピーカから音声が出力される。
【０００５】
このような従来のワイヤレスヘッドホンには、以下のような問題点がある。
１．無線による接続不良によって音声が途絶えた後、再び接続されたとき、接続不良となった時点での音量で再び音声が出力されるため、大音量で音声を出力していた場合には、再接続時に突然大音量で音声が出力され、ユーザーを驚かせ、あるいはユーザーを難聴にするなどの不具合がある。
２．接続不良となっても、音源側での音声出力は継続して行なわれるため、再接続されて出力される音声は、途絶えたときの音声との連続性がなく、ユーザーは接続不良の間の音声を聞き逃すことになる。音楽を聴いている場合、その他、例えば朗読や語学学習をしていた場合は、途中が途切れることになるため、音声を聞くことの価値が低下することになり、望ましくない。
【発明の開示】
【発明が解決しようとする課題】
【０００６】
そこで本発明の第１の目的は、ワイヤレスヘッドホンにおいて、無線による接続不良によって音声が途絶え、その後再び接続されとき、音量が絞られた状態から徐々にもとの音量になるように、いわゆるフェードインさせることができるヘッドホンを提供することである。
本発明の第２の目的は、無線による接続不良によって音声が途絶えると、音声信号の読み出しを停止し、再び接続されとき、停止していた音声の読み出しを停止時点から連続性をもたせて再開させるようにしたワイヤレスヘッドホンおよびワイヤレスヘッドホンシステムを提供することである。
【０００７】
なお、ワイヤレスヘッドホンに関連のある従来技術として、再生装置本体から送信されてくる音曲データをワイヤレスヘッドホン側のデジタル無線受信部で受信し、受信した音曲データを一時的にバッファメモリに蓄積し、蓄積した音曲データをバッファメモリから読み出し、Ｄ／Ａ変換部でアナログデータに変換し、このアナログデータによりスピーカを駆動して音波に変換する技術が提案されている（例えば、特許文献１参照）。特許文献１記載の発明が上記のように構成される理由は、無線での通信時に外乱が入ると、通信が途絶えて再生音が途切れるので、あるいは、圧縮データを再生する場合、データ処理で遅延するため、バッファメモリにデータを蓄積して、これを順次読み出すことにより、再生音の途切れを無くすためである。
【０００８】
特許文献１記載の発明と略同じ目的で、オーディオサーバのブルートゥースモジュールから受信したパケットを順次格納するバッファを有し、バッファに所定数のパケットが格納された後、その後に受信されるパケットをバッファに格納しながらバッファ内の受信パケットを順にデコードしてリアルタイムデータを再生して音声を出力し、バッファ内のパケットが０となったとき、データの再生を停止するとともに、その後の受信パケットを廃棄し、その後、所定時間電波の強度が所定の強度を越えたとき、受信データパケットのバッファへの格納を再開するようにした技術が提案されている（例えば、特許文献２参照）。
【０００９】
【特許文献１】特開２００３−２８０６９３号公報
【特許文献２】特開２００５−３４８２２６号公報
【００１０】
特許文献１および特許文献２記載の発明はいずれも、無線による通信が途絶えても、ヘッドホンからの音声出力が途絶えないようにバッファメモリを介在させるものである。
しかし、特許文献１および特許文献２におけるバッファメモリはあくまでも一時的にデータを蓄積するものであるから、通信が途絶えている時間がある程度以上になると音声信号を出力することができなくなる。したがって、その後通信が再開して音声出力が再開されるとき、通信が途絶えたときの音量で突然音声出力され、前述のような本発明の目的を達成することはできない。また、特許文献１および特許文献２記載の発明によれば、通信が再開して音声出力が再開された時点では、通信が途絶えた時点での音声とは連続性のない、先に進んだ音声が出力されることになり、ユーザーは途中が切断された音声しか聴くことができない。よって、前述のような本発明の目的を達成することはできない。
【課題を解決するための手段】
【００１１】
本発明は、前述の目的を達成するために、再生装置側からデジタル無線信号で送信される音声信号を受信するデジタル無線受信部と、デジタル無線受信部で受信される音声信号を一時的に蓄えるバッファメモリと、バッファメモリから読み出される音声信号をアナログ信号に変換するＤ／Ａ変換部と、Ｄ／Ａ変換部で変換されるアナログ信号を音声に変換する電気音響変換器と、を備えるワイヤレスヘッドホンであって、デジタル無線受信部と再生装置側のデジタル無線送信部との接続が正常かまたは接続不良かを検出する接続検出部と、電気音響変換器から出力される音声の音量を調節する音量調節部と、接続検出部が接続不良を検出したとき音量を低下させるように音量調節部を制御し、その後接続検出部が接続正常を検出したとき、接続不良を検出したときの音量まで順次戻すように音量調節部を制御する制御部を備えていることを最も主要な特徴とする。
【００１２】
本発明はまた、再生装置側からデジタル無線信号で送信される音声信号を受信するデジタル無線受信部と、ワイヤレスヘッドホン側のデジタル無線受信部で受信される音声信号を一時的に蓄えるバッファメモリと、バッファメモリから読み出される音声信号をアナログ信号に変換するＤ／Ａ変換部と、Ｄ／Ａ変換部で変換されるアナログ信号を音声に変換する電気音響変換器と、を備えるワイヤレスヘッドホンであって、再生装置側のデジタル無線送信部と上記デジタル無線受信部との接続が正常かまたは接続不良かを検出する接続検出部と、接続検出部が接続不良を検出したときバッファメモリによる音声信号の読み出しを停止させて再生を一時停止させ、その後接続検出部が接続正常を検出したとき、バッファメモリによる音声信号の読み出しを、接続不良検出時の音声信号に続けて再開させる制御部を備えていることを主要な特徴とする。
再生装置側に接続検出部を備え、接続検出部が接続不良を検出したとき再生を一時停止させ、その後上記接続検出部が接続正常を検出したとき、接続不良検出時の音声信号に続けて音声信号の読み出しを再開させるようにしたワイヤレスヘッドホンシステムを構成してもよい。
【発明の効果】
【００１３】
本発明にかかるワイヤレスヘッドホンによれば、ヘッドホン側のデジタル無線受信部と再生装置側のデジタル無線送信部とが接続不良になると音量が低下し、その後接続検出部が接続正常を検出すると、接続不良を検出したときの音量まで順次戻され、いわゆるフェードインするため、再生装置とヘッドホンとの無線による接続不良で音声が途切れたあと、接続が回復したときに、接続不良となった時点での音量で急激に音声出力が再開されることがなくなる。したがって、大音量で音声を出力していた場合には、再接続時に突然大音量で音声が出力され、ユーザーを驚かせ、あるいはユーザーを難聴にするなどの不具合をなくすことができる。
【００１４】
本発明にかかるワイヤレスヘッドホンの別の態様またはワイヤレスヘッドホンシステムによれば、再生装置とヘッドホンとが無線による接続不良になると、バッファメモリからの音声信号の読み出しを停止し、再び接続されたとき、停止していた音声信号の読み出しを停止時点から再開させるため、音声出力が連続性をもって再開され、音声を聞き逃すという不具合をなくすことができる。
【発明を実施するための最良の形態】
【００１５】
以下、本発明にかかるワイヤレスヘッドホンおよびワイヤレスヘッドホンシステムの実施例について図面を参照しながら説明する。
【００１６】
まず、本発明にかかるワイヤレスヘッドホンのハードウエア構成例について図１の機能ブロック図を参照しながら説明する。図１において、符号１０で示す大きなブロックは再生装置を、符号２０で示す大きなブロックはワイヤレスヘッドホンを示している。この例における再生装置１０は、例えばＭＰ３規格で圧縮されたデジタル信号からなる音声信号をフラッシュメモリなどからなるメモリに保存し、これを読み出して復号し、デジタル無線信号として送信するものである。したがって、再生装置１０は、音声信号を所定の形式に圧縮して予め保存することができる例えばフラッシュメモリからなるメモリ１１と、メモリ１１から読み出される音声信号を圧縮前の音声に戻す復号部１２と、復号される音声信号を電波に乗せて外部に送信するデジタル無線送信部１３と、後で説明するワイヤレスヘッドホン２０側のデジタル無線受信部２１との接続が正常かまたは接続不良かを検出する接続検出部１５と、この接続検出部１５の検出信号に応じて上記メモリ１１、復号部１２、デジタル無線送信部１３の動作を制御する制御部１４を備えている。再生装置１０は、メモリ１１に代わるコンパクトディスク（ＣＤ）、ミニディスク（ＭＤ）などの記録媒体と、これらの記録媒体を駆動して記録情報を読み出すようにした機械的な駆動部を備える再生装置であってもよい。
上記制御部１４は、接続検出部１５の検出結果、すなわち、再生装置１０側のデジタル無線送信部１３とワイヤレスヘッドホン２０側のデジタル無線受信部２１相互の接続が正常であるかまたは接続不良であるかに基づいて、メモリ１１からの読み出し動作と復号部１２の動作を制御する。具体的には、接続検出部１５が接続不良を検出したとき、音声信号の再生動作すなわち図示の例ではメモリ１１による音声信号の読み出しを停止させるようになっている。その後接続検出部１５が接続正常を検出したとき、制御部１４はメモリ１１に再生再開命令を発し、メモリ１１による音声信号の読み出しを再開させるように構成されている。制御部１４による以上のような制御動作は、予め組み込まれているソフトウエアにしたがって行われる。
【００１７】
ワイヤレスヘッドホン２０は、上記再生装置１０のデジタル無線送信部１３からの無線による信号を受信するデジタル無線受信部２１と、デジタル無線受信部２１で受信される音声信号を一時的に蓄えるバッファメモリ２２と、バッファメモリ２２から読み出される音声信号をアナログ信号に変換するＤ／Ａ変換部２３と、Ｄ／Ａ変換部２３で変換されるアナログ信号を音声に変換する電気音響変換器としてのスピーカ２４を備えている。Ｄ／Ａ変換部２３とワイヤレスヘッドホン２０はまた、再生装置１０側のデジタル無線送信部１３とスピーカ２４の間には、通常、上記アナログ信号を増幅してスピーカ２４を駆動する増幅器が介在しているが、図１では図示されていない。ワイヤレスヘッドホン２０側には、再生装置のデジタル無線送信部１３とワイヤレスヘッドホン２０側のデジタル無線受信部２１相互の接続が正常かまたは接続不良かを検出する接続検出部２５を備えている。さらに、制御部２６と、スピーカ２４から出力される音声の音量を調節する音量調節部２７と、接続不良を認識させるための認識音をスピーカ２４から出力させる認識音発生部２８を備えている。
【００１８】
上記制御部２６は、接続検出部２５の検出結果、すなわち、再生装置１０側のデジタル無線送信部１３とワイヤレスヘッドホン２０側のデジタル無線受信部２１相互の接続が正常であるかまたは接続不良であるかに基づいて、音量調節部２７と認識音発生部２８の動作を制御する。制御部２６はまた、接続検出部２５が接続不良を検出したとき、バッファメモリ２２に再生一時停止命令を発し、バッファメモリ２２による音声信号の読み出しを停止させるようになっている。その後接続検出部２５が接続正常を検出したとき、制御部２５はバッファメモリ２２に再生再開命令を発し、バッファメモリ２２による音声信号の読み出しを再開させるように構成されている。制御部２６による以上のような制御動作は、予め組み込まれているソフトウエアにしたがって行われる。
【００１９】
前記音量調節部２７は、結果としてスピーカ２４から出力される音声の音量を調節することができればよく、例えば、Ｄ／Ａ変換部２３によるアナログ変換前のデジタル信号で調節するようにしてもよいし、変換されたアナログ信号のレベルを調節するようにしてもよい。認識音発生部２８は、再生装置１０とヘッドホン２０の無線による接続状態が不良であることをユーザーに認識させるためのもので、例えば、「ぷっ、ぷっ、ぷっ」というような警報音をスピーカ２４から流すようになっている。その具体的な手段は任意であるが、図１に示す例では、上記のような警報音をデジタルデータで保存しておき、これを必要な場合に、すなわち制御部２６から命令された場合に読み出してＤ／Ａ変換部２３に入力するようになっている。デジタルデータからなる警報音はＤ／Ａ変換部２３でアナログによる音声信号に変換され、スピーカ２４から音声として出力される。
【００２０】
以上説明したハードウエア構成において、ワイヤレスヘッドホン２０の制御部２６に組み込まれるソフトウエアの構成により、ワイヤレスヘッドホン２０として、さまざまな機能をもたせることができる。以下、各種機能をもった各種実施例について図２ないし図５を参照しながら説明する。図２ないし図５において、各動作ステップを、Ｓ１，Ｓ２，・・・のように表している。
【実施例１】
【００２１】
図２はワイヤレスヘッドホンの実施例を示す。図２において、ワイヤレスヘッドホン２０側では、接続検出部２５が、再生装置１０のデジタル無線送信部１３とヘッドホン１０側のデジタル無線受信部２１相互の接続が正常かまたは接続不良かを検出する（Ｓ１）。正常であればその状態を維持する。再生装置１０とヘッドホン２０との距離が大きく離れるなどの理由によって接続検出部２５が接続不良を検出すると、制御部２６が音量調節部２７に音量低下処理を行わせ（Ｓ２）、スピーカ２４から出力されるべき音声のレベルを低下させる。接続不良であるから、再生装置１０からの音声信号も伝達されず、スピーカ２４から音声が出力されることもない。接続検出部２５はさらにデジタル無線送受信部１３、２１相互の接続状態を監視し（Ｓ３）、接続不良状態が続いていれば、スピーカ２４から出力されるべき音声のレベルを低下させた状態を維持する。接続が正常な状態に回復すれば、制御部２６がデジタル無線受信部２１と再生装置側のデジタル無線送信部１３との再接続処理を行わせ（Ｓ４）、さらに、音量調節部２７に音量復帰処理を行わせる（Ｓ５）。音量復帰処理は、音声レベルを低下させた状態から、上記接続不良を検出した時点における音声レベルまで徐々にあるいは段階的に復帰させる処理で、これによっていわゆるフェードインすることになる。
よって、図２に示す実施例によれば、前に述べた本発明の第１の目的を達成することができる。
【実施例２】
【００２２】
次に、第２の実施例について、図３を参照しながら説明する。図３において、ワイヤレスヘッドホン２０の接続検出部２５は、再生装置１０のデジタル無線送信部１３とヘッドホン１０側のデジタル無線受信部２１相互の接続が正常かまたは接続不良かを検出する（Ｓ１１）。正常であればその状態を維持する。接続検出部２５が接続不良を検出すると、制御部２６がバッファメモリ２２に向けて再生一時停止指令を出す（Ｓ１２）。バッファメモリ２２は再生一時停止指令によって音声信号の読み出しを停止する。接続検出部２５はデジタル無線送受信部１３とデジタル無線送受信部２１相互の接続が正常かまたは接続不良かを検出し続け（Ｓ１３）、接続不良でなければ、すなわち、再び正常に接続されれば、制御部２６はデジタル無線受信部２１と再生装置側のデジタル無線送信部１３との再接続処理を行わせる（Ｓ１４）。制御部２６はさらに、バッファメモリ２２に対する再生一時停止指令の出力を停止して音声信号の読み出しを再開し、Ｄ／Ａ変換部２３、スピーカ２４によって音声の再生を再開する（Ｓ１５）。
【００２３】
上記実施例２によれば、再生装置１０側のデジタル無線送信部１３とヘッドホン２０側のデジタル無線受信部２１との接続が正常かまたは接続不良かを検出する接続検出部２５と、接続検出部２５が接続不良を検出したときバッファメモリ２２による音声信号の読み出しを停止させて再生を一時停止させ、その後接続検出部２５が接続正常を検出したとき、バッファメモリ２２による音声信号の読み出しを、接続不良検出時の音声信号に続けて再開させる制御部２６を備えているため、前に述べた本発明の第２の目的を達成することができる。
【実施例３】
【００２４】
次に、第３の実施例について、図４を参照しながら説明する。図４において、ワイヤレスヘッドホン２０の接続検出部２５は、再生装置１０のデジタル無線送信部１３とヘッドホン１０側のデジタル無線受信部２１相互の接続が正常かまたは接続不良かを検出する（Ｓ２１）。正常であればその状態を維持する。接続検出部２５が接続不良を検出すると、制御部２６が、バッファメモリ２２に向けて再生一時停止指令を出し（Ｓ２２）、認識音発生部２８に向けて認識音発生指令を出し（Ｓ２３）、音量調節部２７に向けて音量低下指令を出す（Ｓ２４）。上記再生一時停止指令によって、バッファメモリ２２は音声信号の読み出しを停止する。上記認識音発生指令によって、認識音発生部２８はデジタル無線送受信部が接続不良であることを表す、例えば、「ぷっ、ぷっ、ぷっ」というような警報音のデジタル化信号をＤ／Ａ変換部２３に入力し、これをＤ／Ａ変換部２３がアナログ信号に変換してスピーカ２４から流す。上記音量低下指令により音量調節部２７がＤ／Ａ変換部２３から出力される音声信号レベル低下させ、スピーカ２４から出力されるべき音声のレベルを低下させる。
【００２５】
接続検出部２５はデジタル無線送信部１３とデジタル無線受信部２１相互の接続が正常かまたは接続不良かを検出し続け（Ｓ２５）、接続不良でなければ、すなわち、再び正常に接続されれば、制御部２６はデジタル無線受信部２１に再生装置側のデジタル無線受信部１３との再接続処理を行わせる（Ｓ２６）。制御部２６はまた、バッファメモリ２２に対する再生一時停止指令の出力を停止して音声信号の読み出しを再開し、Ｄ／Ａ変換部２３、スピーカ２４によって音声の再生を再開する（Ｓ２７）。さらに、制御部２６は音量調節部２７に音量復帰処理を行わせる（Ｓ２８）。前に説明したように、音量復帰処理は、音声レベルを低下させた状態から、上記接続不良を検出した時点における音声レベルまで徐々にあるいは段階的に復帰させる処理である。
【００２６】
実施例３によれば、本発明の第１の目的および第２の目的を達成することができるほか、接続不良の場合に警報音を出力するため、ユーザーは、再生が停止された場合に、その原因が無線送受信部の接続不良ないしは接続停止にあることがわかる。
【実施例４】
【００２７】
次に、第４の実施例について図５を参照しながら説明する。この実施例は、携帯電話が再生装置１０を兼ねている例で、再生装置で再生中に通話が開始された場合にも、再生を一時停止させるようにしたことを特徴とするものである。図５において、再生装置１０が音声信号を再生中に、ワイヤレスヘッドホン２０の接続検出部２５は、再生装置１０がわとヘッドホン１０側のデジタル無線送受信部１３、２１相互の接続が正常かまたは接続不良かを検出する（Ｓ３０）。接続不良の場合は、実施例２の場合と同様に、制御部２６がバッファメモリ２２に向けて再生一時停止指令を出す（Ｓ３１）。バッファメモリ２２は再生一時停止指令によって音声信号の読み出しを停止する。接続検出部２５はデジタル無線送信部１３とデジタル無線受信部２１相互の接続が正常かまたは接続不良かを検出し続け（Ｓ３２）、接続不良でなければ、すなわち、再び正常に接続されれば、制御部２６はデジタル無線受信部２１に再生装置側のデジタル無線送信部１３との再接続処理を行わせる（Ｓ３３）。制御部２６はさらに、バッファメモリ２２に対する再生一時停止指令を停止して音声信号の読み出しを再開し、Ｄ／Ａ変換部２３、スピーカ２４によって音声の再生を再開する（Ｓ３４）。
【００２８】
ステップＳ３０において、接続検出部２５が接続正常であることを検出すると、次に携帯電話が通話中であるか非通話であるかを検出し（Ｓ３５）、通話中でないすなわち非通話であれば、ステップ３０に戻って再生を継続する。ステップＳ３５において通話中であることを検出すると、制御部２６はバッファメモリ２２に向けて再生一時停止指令を出し（Ｓ３６）、バッファメモリ２２は再生一時停止指令によって音声信号の読み出しを停止して再生を一時停止する。その後通話終了を待ち（Ｓ３７）、通話が終了すると（非通話になると）、再生再開処理すなわちバッファメモリ２２からの音声信号の読み出しを、一時停止時の音声信号に続けて再開させる（Ｓ３４）。
【００２９】
実施例４によれば、再生装置１０を携帯電話が兼ねているワイヤレスヘッドホンにおいて、携帯電話として通話中は再生を一時停止し、通話が終了すると、再生再開処理すなわちバッファメモリ２２からの音声信号の読み出しを、一時停止時の音声信号に続けて再開させるようになっているため、音声出力が連続性をもって再開され、バッファメモリ２２から読み出される音声信号による再生出力を、通話によって聞き逃すという不具合をなくすことができる。
【００３０】
再生装置１０のデジタル無線送信部１３とワイヤレスヘッドホン２０のデジタル無線受信部２１相互が接続不良になった場合、再生装置１０側では接続検出部１５が接続不良を検出する。再生装置１０側の制御部１４は接続検出部１５の検出信号によってメモリ１１による読み出し動作の一時停止命令を出す。上記デジタル無線送信部１３とデジタル無線受信部２１が再び正常に接続されれば、制御部１４はメモリ１１に対する読み出し一時停止指令の出力を停止して音声信号の読み出しを再開し、デジタル無線送信部１３からワイヤレスヘッドホン２０に向けて音声信号を無線で送信する。ワイヤレスヘッドホン２０側の動作は前述のとおりである。よって、一時停止時と再生再開時の音声信号が連続することになり、ユーザーが途中を聞き逃すことはない。上記メモリ１１は、ＣＤプレーヤー、ＭＤプレーヤーなどに代替することができ、これらの再生動作、一時停止、再生再開動作が、制御部１４からの命令によって行われる。ここで説明した実施例は、デジタル無線送受信部の接続不良検出によって再生装置側の再生動作を一時停止させるようにしたもので、再生装置１０とワイヤレスヘッドホン２０双方の構成を組み合わせたワイヤレスヘッドホンシステムとして捉えることができる。
【００３１】
図１に示すハード構成例において、音量調節部２７は、結果的に電気音響変換素子としてのスピーカ２４から出力される音量を調節することができればよく、Ｄ／Ａ変換部２３の入力側、したがってデジタル信号の段階で音量を調節するようにしてもよいし、Ｄ／Ａ変換部２３の出力側、したがってアナログ信号に変換された後音量を調節するようにしてもよい。同様に、認識音発生部２８も、デジタル信号で認識音を発生させてＤ／Ａ変換部２３に入力させてもよいし、アナログ信号で認識音を発生させてスピーカ２４またはその前段の図示されない増幅器に入力させてもよい。
【図面の簡単な説明】
【００３２】
【図１】本発明にかかるワイヤレスヘッドホンの実施例のハード構成を示す機能ブロック図である。
【図２】本発明にかかるワイヤレスヘッドホンの実施例１を示すフローチャートである。
【図３】本発明にかかるワイヤレスヘッドホンの実施例２を示すフローチャートである。
【図４】本発明にかかるワイヤレスヘッドホンの実施例３を示すフローチャートである。
【図５】本発明にかかるワイヤレスヘッドホンの実施例４を示すフローチャートである。
【図６】一般的なワイヤレスヘッドホンおよび再生装置と無線による接続状態および接続不良状態のイメージを示す概念図である。
【図７】一般的なワイヤレスヘッドホンおよび音源装置の概念図である。
【符号の説明】
【００３３】
１０    再生装置
１３    デジタル無線送信部
１４    制御部
２０    ワイヤレスヘッドホ
２１    デジタル無線受信部
２２    バッファメモリ
２３    Ｄ／Ａ変換部
２４    電気音響変換器であるスピーカ
２５    接続検出部
２６    制御部
２７    音量溶接部
２８    認識音発生部
【図１】
2008067258.tif 000003
【図２】
2008067258.tif 000004
【図３】
2008067258.tif 000005
【図４】
2008067258.tif 000006
【図５】
2008067258.tif 000007
【図６】
2008067258.tif 000008
【図７】
2008067258.tif 000009